(57)【要約】【課題】高齢者等が毎日継続して血圧、体温、体重、体脂肪率等を気兼ねなく測定、確認できるように積極的に支援することができるようにする。【解決手段】生体測定器２と、第１の有線経路Ｌ１又は第１の無線経路Ｌ２で接続され、各部位に複数のセンサースイッチＳ１〜Ｓ９、スピーカーＳＰ１、主装置３を内蔵する玩具１とを備え、主装置は、使用者が血圧等を測定するたびに測定器通信インターフェース回路２１を介して測定器と接続され、測定器をリモート制御して測定した使用者の血圧等の測定値をメモリインタフェース回路２２を介してメモリ２３に記録する測定値管理プログラム２８１と、測定値に対応してメモリに予め登録されている対応する数値がフレーズ単位で記録された音声データを、スピーカより使用者の測定値として音声で出力制御する音声制御プログラム２８２とを内蔵する制御部２８を備えている。【選択図】図１
2005278790.tif 000002
【特許請求の範囲】
【請求項１】
血圧計、体温計、体重計、体脂肪計等の測定器（２）と、ＵＳＢ、ＲＳ−２３２Ｃ等の第１の有線経路（Ｌ１）又は無線ＬＡＮ、ブルートゥース等の第１の無線経路（Ｌ２）で接続され、手足、頭、背中、尻尾等の部位に複数のセンサースイッチ（Ｓ１〜Ｓ９）、スピーカー（ＳＰ１）、主装置（３）を内蔵する犬、猫等のぬいぐるみのような玩具（１）とを備え、
前記主装置は、使用者が血圧、体温、体重、体脂肪率を測定するたびに測定器通信インターフェース回路（２１）を介して前記測定器と接続され、前記測定器をリモート制御して測定した使用者の血圧、体温、体重、体脂肪率等の測定値をメモリインタフェース回路（２２）を介してメモリカード、フラッシュＲＯＭ等のメモリ（２３）に記録する測定値管理プログラム（２８１）と、前記測定値に対応して前記メモリに予め登録されている対応する数値がフレーズ単位で記録された音声データを、音声再生回路（２５）を介して前記スピーカより使用者の測定値として音声で出力制御する音声制御プログラム（２８２）とを内蔵する制御部（２８）を備えたことを特徴とする健康管理システム。
【請求項２】
前記主装置は、日付や時間を管理するためのリアルタイムクロック回路（２６）と前記制御部に内蔵される時間管理プログラム（２８３）によって、毎日定時に使用者に血圧、体温、体重、体脂肪率等の測定を喚起するアラーム音、音声再生音を前記音声再生回路を介して前記スピーカより出力することを特徴とする請求項１記載の健康管理システム。
【請求項３】
前記主装置は、使用者が血圧、体温、体重、体脂肪率等の測定を実施するたびに前回測定した測定値と今回測定した測定値をセットで前記音声再生回路を介して前記スピーカより出力することを特徴とする請求項１又は請求項２記載の健康管理システム。
【請求項４】
前記主装置は、使用者が特定の前記センサースイッチに触れた時に予め前記メモリに記録された複数の音声フレーズデータからランダムにデータを読み出して前記音声再生回路を介して前記スピーカより出力することを特徴とする請求項１乃至請求項３何れか１項記載の健康管理システム。
【請求項５】
前記主装置は、有線ＬＡＮやＵＳＢ等の第２の有線経路（Ｌ３）または無線ＬＡＮ、ブルートゥース等の第２の無線経路（Ｌ４）を介してブロードバンドルータ等のゲートウェイ装置（４）と接続され、インターネット等のネットワーク網（１００）を介して外部のパーソナルコンピュータ（１０１）と接続され、前記パーソナルコンピュータのリモート操作で前記主装置の前記メモリに予め記録されている前記音声データを更新することを特徴とする請求項１乃至請求項４何れか１項記載の健康管理システム。
【請求項６】
前記主装置は、使用者毎の前記測定器の使用頻度を監視・記録し、定期的に前記ネットワーク網を介して外部のデータセンター（１０２）へ送信し、前記測定器が一定期間使用されない場合は、使用者が何らかの異常状態にあると判定し通知するプログラム（２８４）を有することにより使用者の安否確認を行なうことを特徴とする請求項１乃至請求項５何れか１項記載の健康管理システム。
【請求項７】
前記主装置に接続される前記複数のセンサースイッチを使用者が選択して触れることによって、複数の使用者の測定値を区別して記録することを特徴とする請求項１乃至請求項６何れか１項記載の健康管理システム。
【請求項８】
前記主装置に接続される前記複数のセンサースイッチを使用者が選択して触れることによって、時間帯に対応して前記メモリに予め登録されているフレーズ単位で記録された異なる音声コミュニケーションデータを前記音声再生回路を介して前記スピーカより音声で出力することを特徴とする請求項１乃至請求項７何れか１項記載の健康管理システム。
【請求項９】
前記パーソナルコンピュータは、使用者の親、子供、孫等の近親者の声を予め録音し前記音声データに編集加工する機能を有することを特徴とする請求項５乃至請求項８何れか１項記載の健康管理システム。
【発明の詳細な説明】
【技術分野】
【０００１】
この発明は健康管理システムに係り、特に高齢者等の単身生活者を対象とした異常監視において、ネットワーク網を介して血圧計、体温計、体重計、体脂肪計等の測定器の使用頻度を遠隔モニタ監視する健康管理システムに関する。
【背景技術】
【０００２】
従来から、高齢者等の単身生活者が日常生活において、通常、採り得る姿勢や動作をセンサ等の測定手段で監視して、健康状態をモニタリングする単身生活者の健康状態モニタリングシステムが提案されている（例えば、特許文献１参照）。
【０００３】
この健康状態モニタリングシステムは、座布団に荷重センサ、湯飲み茶碗に脈波センサやインピーダンス測定センサ、テレビの側部にビデオカメラ等を設けている。荷重センサは体重や重心の状態を観察することができ、脈波センサやインピーダンス測定センサは心拍間隔や自律神経の状態、発汗状態を観察することができ、ビデオカメラは顔色、血行状態、体温、しみの有無等を観察することができる。また、これらセンサ等の測定手段で検出したデータは、管理装置でモニタリングすることにより送信に適した健康管理データとして記録され、集中管理センターに電話回線等を介して定期的に送信できるようになっている。
【０００４】
【特許文献１】特許第３１６８２８５号公報
【発明の開示】
【発明が解決しようとする課題】
【０００５】
背景技術に記載した特許文献１では、単身生活者自身が自分の健康状態を確認、管理することができなかった。また、単身生活者自身が自分の健康状態を確認、管理するために、例えば血圧計を使用して血圧を測定することができる。しかしながら、血圧計等の測定器は、一般的に測定データを表示するだけなので計測結果を見間違えてしまうことがあり、また、毎日継続して計測することをうっかり忘れてしまう虞があり、さらに、測定器の操作に不慣れで苦手意識のある高齢者等には精神的に苦痛をともなうものであった。
【０００６】
本発明は、このような従来の難点を解決するためになされたもので、高齢者等が毎日継続して血圧、体温、体重、体脂肪率等を気兼ねなく測定、確認できるように積極的に支援することができ、また、ネットワーク網を利用して病院等の外部機関で遠隔監視することができる健康管理システムを提供することを目的とする。
【課題を解決するための手段】
【０００７】
本発明の健康管理システムは、血圧計、体温計、体重計、体脂肪計等の測定器と、ＵＳＢ、ＲＳ−２３２Ｃ等の第１の有線経路又は無線ＬＡＮ、ブルートゥース等の第１の無線経路で接続され、手足、頭、背中、尻尾等の部位に複数のセンサースイッチ、スピーカー、主装置を内蔵する犬、猫等のぬいぐるみのような玩具とを備えているものである。
【０００８】
また、玩具の主装置は、使用者が血圧、体温、体重、体脂肪率を測定するたびに測定器通信インターフェース回路を介して測定器と接続され、測定器をリモート制御して測定した使用者の血圧、体温、体重、体脂肪率等の測定値をメモリインタフェース回路を介してメモリカード、フラッシュＲＯＭ等のメモリに記録する測定値管理プログラムと、測定値に対応してメモリに予め登録されている対応する数値がフレーズ単位で記録された音声データを、音声再生回路を介してスピーカより使用者の測定値として音声で出力制御する音声制御プログラムとを内蔵する制御部を備えたものである。
【０００９】
このような健康管理システムは、主装置が測定器をリモート制御することができるので、使用者が測定器を測定可能な状態に操作しなくてもよく、測定器の操作に不慣れで苦手意識のある高齢者等でも気兼ねなく測定器で血圧、体温、体重、体脂肪率を測定することができる。また、このようにして測定器で測定した測定値データは、通信インターフェース回路で主装置に受信され、受信された測定値データは測定値管理プログラムによる制御でメモリインタフェース回路を介してメモリに記録される。主装置は、メモリに記録された測定値データの内容を、音声制御プログラムによる制御で音声再生回路を介してスピーカから音声として使用者に知らせることができる。この音声を使用者の親、子供、孫等の近親者の声にして、犬、猫等のぬいぐるみのような玩具から発音させることにより、使用者に対して癒しの効果をもたらすことが期待できる。
【００１０】
また、玩具の主装置は、有線ＬＡＮやＵＳＢ等の第２の有線経路または無線ＬＡＮ、ブルートゥース等の第２の無線経路を介してブロードバンドルータ等のゲートウェイ装置と接続され、インターネット等のネットワーク網を介して外部のパーソナルコンピュータやデータセンターと接続されている。このように外部と接続されることにより、病院等の外部機関で使用者の生活異変を確認できるようになる。
【発明の効果】
【００１１】
本発明の健康管理システムによれば、犬、猫等のぬいぐるみのような玩具に、測定器をリモート制御する機能や測定結果を音声で知らせる機能をもたせたので、測定器の操作に不慣れで苦手意識のある高齢者でも血圧計や体温計、体重計、体脂肪計等を用いて毎日、定期的に血圧や体温、体重、体脂肪率等を測定することができ、また、測定結果や種々の音声フレーズを玩具が喋るので使用者に対して癒しの効果をもたらすことが期待できる。さらに、この玩具をネットワーク網を介して外部のデータセンター等に接続することができるので、病院等の外部機関で使用者の生活異変を確認できる。
【発明を実施するための最良の形態】
【００１２】
以下、本発明の健康管理システムを実施するための最良の形態例について、図面を参照して説明する。
【００１３】
本発明を実施するための最良の一形態である健康管理システムは図１に示すように、血圧計、体温計、体重計、体脂肪計等である生体測定器２と、生体測定器２に接続され、手足、頭、背中、尻尾等の部位に複数のセンサースイッチＳ１〜Ｓ９、スピーカーＳＰ１、主装置３を内蔵する犬、猫等のぬいぐるみのような玩具１とを備えている。
【００１４】
玩具１のセンサースイッチは、例えば右耳にセンサースイッチＳ１、左耳にセンサースイッチＳ２、頭にセンサースイッチＳ３、背中にセンサースイッチＳ４、右前足にセンサースイッチＳ５、左前足にセンサースイッチＳ６、右後足にセンサースイッチＳ７、左後足にセンサースイッチＳ８、尻尾にセンサースイッチＳ９が内蔵されている。このようなセンサースイッチとしては、感圧型スイッチ等が操作がし易く誤動作が少ない等の点で好適である。また、スピーカーＳＰ１は口に設けられ、主装置３は胴体に内蔵されている。
【００１５】
この主装置３は、生体測定器２に接続するための測定器通信ＩＦ（インターフェース）回路２１と、生体測定器２で測定した血圧、体温、体重、体脂肪率等の測定値データをメモリＩＦ（インターフェース）回路２２を介して記録するためのメモリカード、フラッシュＲＯＭ等のメモリ２３と、スピーカーＳＰ１にスピーカーアンプ２４を介して接続される音声再生回路２５と、日付けや時間を管理するためのＲＴＣ（リアルタイムクロック）回路２６と、加入電話網やパケット網などのネットワーク網１００に接続されるゲートウェイ装置４に接続するための外部通信ＩＦ（インターフェース）回路２７とを備えている。なお、ネットワーク網１００には、病院、警備会社等の外部機関に設置されるパーソナルコンピュータ１０１やデーターセンター１０２が接続されている。
【００１６】
また、主装置３は、センサースイッチＳ１〜Ｓ９、測定器通信ＩＦ回路２１、メモリＩＦ回路２２、外部通信ＩＦ回路２７、ＲＴＣ回路２６及び音声再生回路２５に接続されている制御部２８を備えている。
【００１７】
制御部２８は、使用者が血圧、体温、体重、体脂肪率を測定するたびに測定器通信ＩＦ２１を介して生体測定器２と接続し、この生体測定器２をリモート制御して測定した使用者の血圧、体温、体重、体脂肪率等の測定値をメモリＩＦ回路２２を介してメモリ２３に記録する第１の機能を有する測定値管理プログラム２８１と、メモリ２３に記録された測定値に対応してメモリ２３に予め登録されている対応する数値がフレーズ単位で記録された音声データを、音声再生回路２５及びスピーカアンプ２４を介してスピーカＳＰ１より使用者の測定値として音声で出力制御する第１の機能を有する音声制御プログラム２８２とを内蔵している。
【００１８】
測定値管理プログラム２８１は、さらに主装置３の制御部２８に接続される複数のセンサースイッチＳ１〜Ｓ９を使用者が選択して触れることによって、複数の使用者の測定値を区別して記録する第２の機能を有している。
【００１９】
音声制御プログラム２８２は、さらに使用者が血圧、体温、体重、体脂肪率等の測定を実施するたびに前回測定した測定値と今回測定した測定値をセットで音声再生回路２５及びスピーカアンプ２４を介してスピーカＳＰ１より出力する第２の機能を有している。
【００２０】
また、音声制御プログラム２８２は、使用者が特定のセンサースイッチに触れた時に予めメモリ２３に記録された複数の音声フレーズデータからランダムにデータを読み出して音声再生回路２５及びスピーカアンプ２４を介してスピーカＳＰ１より出力する第３の機能を有している。
【００２１】
さらに、音声制御プログラム２８２は、主装置３の制御部２８に接続される複数のセンサースイッチＳ１〜Ｓ９を使用者が選択して触れることによって、ＲＴＣ回路２６の時間制御に基づき時間帯に対応してメモリ２３に予め登録されているフレーズ単位で記録された異なる音声コミュニケーションデータを音声再生回路２５及びスピーカアンプ２４を介してスピーカＳＰ１より音声で出力する第４の機能を有している。
【００２２】
また、制御部２８は、ＲＴＣ回路２６の時間制御に基づき、毎日定時に使用者に血圧、体温、体重、体脂肪率等の測定を喚起するアラーム音、音声再生音を音声再生回路２５及びスピーカアンプ２４を介してスピーカＳＰ１より出力する時間管理プログラム２８３を内蔵している。
【００２３】
また、制御部２８は、使用者毎の生体測定器２の使用頻度を監視・記録し、定期的にネットワーク網１００を介して外部のデータセンター１０２へ送信し、生体測定器２が一定期間使用されない場合は、使用者が何らかの異常状態にあると判定し通知する外部通信プログラム２８４を内蔵している。
【００２４】
また、外部機関に設置されるパーソナルコンピュータ１０１には、該パーソナルコンピュータ１０１のリモート操作で主装置３のメモリ２３に予め記録されている音声データを更新する機能と、使用者の親、子供、孫等の近親者の声を予め録音し音声データに編集加工する機能とを有する音声編集・更新プログラム１１１が内蔵されている。
【００２５】
このような玩具１の主装置３と生体測定器２とは、ＵＳＢ、ＲＳ−２３２Ｃ等のシリアル伝送方式である第１の有線経路Ｌ１又は無線ＬＡＮ、ブルートゥース等の無線データ伝送方式である第１の無線経路Ｌ２の何れかで接続されている。また、玩具１の主装置３とゲートウェイ装置４とは、ＵＳＢ、ＲＳ−２３２Ｃ等のシリアル伝送方式である第２の有線経路Ｌ３又は無線ＬＡＮ、ブルートゥース等の無線データ転送方式である第２の無線経路Ｌ４の何れかで接続されている。
【００２６】
このように構成された健康管理システムについて、以下、動作を場合分けして説明する。なお、使用する生体測定器として血圧計を例に挙げて説明する。
【００２７】
まず、玩具１が高齢者、病弱者、身体障害者等の単身生活者である使用者に血圧計２で血圧測定を行うことを促す動作について説明する。
【００２８】
玩具１の主装置３は、予め設定された日時になるとＲＴＣ回路２６から第１の起動信号が制御部２８に出力される。制御部２８はＲＴＣ回路２６から第１の起動信号を入力すると、時間管理プログラム２８３を起動し、メモリ２３に予め登録されている血圧測定について使用者に喚起する。例えば、使用者の孫の声で、「そろそろ、血圧を測定してね。」の音声フレーズデータをメモリ２３から読み出して音声再生回路２５へ出力し、この音声再生回路２５で音声再生された音声フレーズをスピーカーアンプ２４で必要な音量に増幅してスピーカＳＰ１から一定時間又は設定されている回数だけ出力する。これにより、使用者が毎日継続して血圧測定を行えるように促すことができる。
【００２９】
また、スピーカＳＰ１からの音声フレーズの出力を停止させる場合には、例えば玩具１の背中に内蔵されたセンサースイッチＳ４に触れると、制御部２８が音声再生回路２５を制御して停止するように該制御部２８を設定する。
【００３０】
次に、血圧計２で血圧測定を行った場合における動作について説明する。
【００３１】
例えば、使用者が玩具１の右耳のセンサースイッチＳ１に触れると、玩具の主装置３に備えた制御部２８が、測定値管理プログラム２８１を起動して測定器通信ＩＦ回路２１を介して血圧計２をリモート制御して測定可能な状態にするように該制御部２８を設定する。
【００３２】
このように設定された玩具１の右耳に使用者が触れると、右耳に内蔵されたセンサースイッチＳ１から感知信号が主装置３の制御部２８に出力され、制御部２８はこの感知信号に基づき測定値管理プログラム２８１を起動して測定器通信ＩＦ回路２１を介して血圧計２をリモート制御して測定可能な状態に立ち上げる。したがって、血圧計２の操作に不慣れで苦手意識がある使用者でも、気兼ねなく血圧測定ができる。
【００３３】
血圧計２による血圧測定が完了すると、制御部２８の測定値管理プログラム２８１は血圧計２から測定器通信ＩＦ回路２１を介して測定値を入力し、その測定値をメモリＩＦ回路２２を介してメモリ２３に記録する。メモリ２３に測定値が記録されると、制御部２８は音声制御プログラム２８２の第１の機能を起動し、メモリ２３に記録された測定値に対応して該メモリ２３に予め登録されている対応する数値の音声フレーズデータ、例えば、「今回の最大血圧は１２０で、最小血圧は７０です。」という音声フレーズデータを該メモリ２３から読み出して音声再生回路２５に出力する。音声再生回路２５はこの音声フレーズデータを音声再生しスピーカーアンプ２４で必要な音量に増幅してスピーカＳＰ１から制御部２８で設定されている回数だけ出力する。これにより、使用者が自分の健康状態を音声フレーズで適確に確認することができる。
【００３４】
なお、主装置３の制御部２８は血圧計２からの測定値をメモリ２３に記録した際、前回の測定値がメモリ２３に記録されている場合には、音声制御プログラム２８２の第２の機能を起動し、前回測定した測定値と今回測定した測定値に対応して該メモリ２３に予め登録されている音声フレーズデータ、例えば、「今回の最大血圧は１２０で、最小血圧は７０です。前回の最大血圧は１３０で、最小血圧は８０です。」という音声フレーズデータを該メモリ２３から読み出して音声再生回路２５に出力する。音声再生回路２５はこの音声フレーズデータを音声再生しスピーカーアンプ２４で必要な音量に増幅してスピーカＳＰ１から制御部２８で設定されている回数だけ出力する。これにより、使用者が自分の健康状態を音声フレーズで適確に確認できると共に管理することができる。
【００３５】
次に、複数の人が１台の血圧計２で血圧測定を行った場合における動作について説明する。
【００３６】
例えば、使用者Ａが玩具１の右耳に内蔵されたセンサースイッチＳ１に触れた場合には、玩具１の主装置３に備えた制御部２８は血圧計２で血圧測定した測定値をメモリ２３の使用者Ａ用に割り当てられた記録部に記録し、使用者Ｂが玩具１の左耳に内蔵されたセンサースイッチＳ２に触れた場合には、主装置３に備えた制御部２８は血圧計２で血圧測定した測定値をメモリ２３の使用者Ｂ用に割り当てられた記録部に記録するように制御部２８を設定する。
【００３７】
このように設定された玩具１の右耳に使用者Ａが触れると、右耳に内蔵されたセンサースイッチＳ１から感知信号が主装置３の制御部２８に出力され、制御部２８はこの感知信号に基づき測定値管理プログラム２８１を起動して測定器通信ＩＦ回路２１を介して血圧計２をリモート制御して測定可能な状態に立ち上げる。
【００３８】
血圧計２による血圧測定が完了すると、制御部２８の測定値管理プログラム２８１は血圧計２から測定器通信ＩＦ回路２１を介して測定値を入力し、その測定値をメモリＩＦ回路２２を介してメモリ２３に記録する。この際、制御部２８は使用者Ａが右耳に触れているので使用者Ａが血圧測定したと判断し、その測定値をメモリ２３の使用者Ａ用に割り当てられた記録部に記録する。
【００３９】
また、玩具１の左耳に使用者Ｂが触れた場合には、血圧計２による血圧測定が完了すると、制御部２８は使用者Ｂが左耳に触れているので使用者Ｂが血圧測定したと判断し、その測定値をメモリ２３の使用者Ｂ用に割り当てられた記録部に記録する。
【００４０】
このように、複数のセンサースイッチを使用者ごとに割り当てることができるので、血圧測定した測定値を使用者ごとに管理できるようになる。なお、測定値をメモリ２３に記録した後は、上述のように音声制御プログラム２８２の第１の機能を起動し、メモリ２３に記録された測定値に対応して該メモリ２３に予め登録されている対応する数値の音声フレーズデータをメモリ２３から読み出して音声再生回路２５及びスピーカーアンプ２４を介してスピーカＳＰ１から出力する。また、前回の測定値がメモリ２３に記録されている場合には、音声制御プログラム２８２の第２の機能を起動し、前回測定した測定値と今回測定した測定値に対応して該メモリ２３に予め登録されている音声フレーズデータをメモリ２３から読み出して音声再生回路２５及びスピーカーアンプ２４を介してスピーカＳＰ１から出力する。
【００４１】
次に、特定のセンサースイッチを使用者が選択して触れた時に、そのセンサースイッチに対応する音声フレーズをスピーカーから出力する動作について説明する。
【００４２】
例えば、使用者が玩具１の尻尾のセンサースイッチＳ９に触れると、玩具１の主装置３に備えた制御部２８が音声制御プログラム２８２の第３の機能を起動して、予めメモリ２３に記録された複数の音声フレーズデータからランダムにデータを読み出して、音声再生回路２５に出力するように制御部２８を設定する。
【００４３】
このように設定された玩具１の尻尾に使用者が触れると、尻尾に内蔵されたセンサースイッチＳ９から感知信号が主装置３の制御部２８に出力され、制御部２８は音声制御プログラム２８２の第３の機能を起動して、この感知信号に基づきそのセンサースイッチＳ９に対応した音声フレーズデータ、例えば、「今日も一日がんばろう。」という音声フレーズデータをメモリ２３から読み出して音声再生回路２５に出力する。音声再生回路２５はこの音声フレーズデータを音声再生しスピーカーアンプ２４で必要な音量に増幅してスピーカＳＰ１から制御部２８で設定されている回数だけ出力する。これにより、使用者である単身生活者が玩具に触れることで、該単身生活者に対してランダムに発せられる音声フレーズによる癒しの効果をもたらすことになる。
【００４４】
また、使用者が玩具１の背中のセンサースイッチＳ４に触れると、玩具１の主装置３に備えた制御部２８が音声制御プログラム２８２の第４の機能を起動して、時間帯に対応してメモリ２３に予め登録されているフレーズ単位で記録された異なる音声コミュニケーションデータを読み出して、音声再生回路２５に出力するように制御部２８を設定する。
【００４５】
このように設定された玩具１の背中に使用者が触れると、背中に内蔵されたセンサースイッチＳ４から感知信号が主装置３の制御部２８に出力され、制御部２８は音声制御プログラム２８２の第４の機能を起動して、背中のセンサースイッチＳ４に触れた時間に対応した音声コミュニケーションデータ、例えば、「今日も元気かな？」という音声フレーズデータをメモリ２３から読み出して音声再生回路２５に出力する。音声再生回路２５はこの音声フレーズデータを音声再生しスピーカーアンプ２４で必要な音量に増幅してスピーカＳＰ１から制御部２８で設定されている回数だけ出力する。これにより、使用者である単身生活者が玩具に触れることで、該単身生活者に対して時間帯に対応した音声フレーズによる癒しの効果をもたらすことになる。
【００４６】
次に、データセンターによる単身生活者の遠隔監視について説明する。
【００４７】
玩具１の主装置３は、予め設定された時刻になるとＲＴＣ回路２６から第２の起動信号が制御部２８に出力される。制御部２８はＲＴＣ回路２６から第２の起動信号を受信すると、外部通信プログラム２８４を起動し、使用者の血圧計２の使用頻度や測定値を外部通信ＩＦ回路２７及びゲートウェイ装置４を介してネットワーク網１００に送信する。ネットワーク網１００に送信された使用者の血圧計２の使用頻度や測定値はデータセンター１０２で受信することができるので、データセンター１０２では使用者の生活状態を監視することができる。例えば、測定値に異常が発見された場合には、専門医によるタイムリーなアドバイスを得ることができる。また、血圧計２が一定期間使用されない場合には、データセンター１０２で使用者が何らかの異常状態にあると判定することができるので、使用者の異常状態を早期に確認し対応することができる。
【００４８】
なお、主装置３のメモリ２３に測定値が使用者毎に割り当てられて記録されている場合には、血圧計２の使用頻度や測定値を使用者毎に監視することができる。
【００４９】
また、主装置３のメモリ２３に登録されている音声データを更新する場合には、この主装置３にゲートウェイ装置４及びネットワーク網１００を介して接続されている外部機関に設置されたパーソナルコンピュータ１０１の音声編集・更新プログラム１１１を実行する。具体的には、パーソナルコンピュータ１０１の音声編集・更新プログラム１１１で予め録音しておいたアラーム音や複数の近親者の音声から必要とする音声データを選択し、リモート操作で主装置３のメモリ２３に転送して予め記録されている音声データを更新する。このように、主装置３のメモリ２３に予め記録されている音声データをパーソナルコンピュータ１０１による遠隔制御で書き換えることによって、使用者の手を煩わせることなくスピーカＳＰ１から出力させる音声の音色やフレーズを変更することができるので、使用者の血圧計２に対する関心を継続させることができる。
【００５０】
なお、測定値管理プログラム２８１、音声制御プログラム２８２、時間管理プログラム２８３、外部通信プログラム２８４を内蔵する制御部２８は、該プログラムを実行することができるのであれば、プログラムメモリ内蔵型のＣＰＵ、プログラムメモリが別体であるＣＰＵ、あるいはプログラムメモリとしてメモリ２３を利用するＣＰＵの何れでもよい。
【００５１】
また、本発明の健康管理システムの動作説明では生体測定器として血圧計を例に挙げて説明したが、これに限らず、体温計、体重計、体脂肪計等を使用しても血圧計と同様の作用、効果を得ることができる。
【００５２】
さらに、本発明の健康管理システムの動作説明では単身生活者の住宅等で使用する場合について説明してきたが、これに限らず、家族等と共同生活している介護が必要な住宅等でも採用できることは言うまでもない。
【図面の簡単な説明】
【００５３】
【図１】本発明における健康管理システムによる最良な実施の一形態を示す図で、（ａ）は全体構成図、（ｂ）はシステムブロック図。
【符号の説明】
【００５４】
１……玩具
２……測定器
２１……測定器通信インターフェース回路
２２……メモリインターフェース回路
２３……メモリ
２５……音声再生回路
２６……リアルタイムクロック回路
２８……制御部
２８１……測定値管理プログラム
２８２……音声制御プログラム
２８３……時間管理プログラム
２８４……外部通信プログラム
３……主装置
４……ゲートウェイ装置
１００……ネットワーク網
１０１……パーソナルコンピュータ
１０２……データセンター
Ｌ１……第１の有線経路
Ｌ２……第１の無線経路
Ｌ３……第２の有線経路
Ｌ４……第２の無線経路
Ｓ１〜Ｓ９……センサースイッチ
ＳＰ１……スピーカ
【図１】
2005278790.tif 000003